(57)【要約】      （修正有）【課題】  第一のＰＴＴスイッチを押せば第一の周波数で送信し、第二のＰＴＴスイッチを押せば第二の周波数で送信することにより、極めて迅速な送信動作を行うことが出来る無線通信機を提供する。【解決手段】  変調送信手段と、受信復調手段と、第一及び第二の周波数を記憶する周波数記憶手段と、第一の送信スイッチと、上記第一の送信スイッチがオン状態からオフ状態に切り替わった後の一定時間は上記受信復調手段の受信周波数を第一の周波数に保持する第一の延長タイマーと、第二の送信スイッチと、上記第二の送信スイッチがオン状態からオフ状態に切り替わった後の一定時間は上記受信復調手段の受信周波数を第二の周波数に保持する第二の延長タイマーと、受信復調信号の有無を検出するための信号検出手段と、上記信号検出手段によって信号が検出されない場合に上記第一及び第二の周波数を交互に選択するための間欠タイマーとを備える。【選択図】図１
2006148845.tif 000002
【特許請求の範囲】
【請求項１】
マイクロホンから入力された音声信号を変調し無線電波として送信するための変調送信手段と、無線電波を受信し音声信号等に復調するための受信復調手段と、上記変調送信手段及び上記受信復調手段の送受信周波数として設定される第一及び第二の周波数を記憶する周波数記憶手段と、送信動作を行うためのものであって上記変調送信手段及び上記受信復調手段の送受信周波数を第一の周波数に設定する第一の送信スイッチと、上記第一の送信スイッチがオン状態からオフ状態に切り替わった後の一定時間は上記受信復調手段の受信周波数を第一の周波数に保持する第一の延長タイマーと、送信動作を行うためのものであって上記変調送信手段及び上記受信復調手段の送受信周波数を第二の周波数に設定する第二の送信スイッチと、上記第二の送信スイッチがオン状態からオフ状態に切り替わった後の一定時間は上記受信復調手段の受信周波数を第二の周波数に保持する第二の延長タイマーと、受信復調信号の有無を検出するための信号検出手段と、上記信号検出手段によって信号が検出されない場合に上記第一及び第二の周波数を交互に選択するための間欠タイマーとを備えたことを特徴とする無線通信機。
【発明の詳細な説明】
【技術分野】
【０００１】  本発明は無線電波を利用して音声通話等の通信を行う無線通信機に関するものである。
【背景技術】
【０００２】  近年、無線通信機は携帯電話の普及に伴い市場規模は縮小したものの、
（１）維持費用が不要である。
（２）同報性により同時に複数の呼び出しが出来る。
（３）回線接続手続きが不要なので即時通話が可能である。
といった利点により、携帯電話とは異なる安定した需要が存在している。【０００３】  以下図面を参照しながら、上述した従来の無線通信機の一例について説明する。図３は従来の無線通信機のブロック図、図４は従来の無線通信機の外観図を示すものである。図３において、１は送受信アンテナで、無線通信機が送信状態にあるときは送信電波を空間に輻射し、無線通信機が受信状態にあるときは到来した空間の電波を捕捉する。【０００４】  ２は送受信切替手段で、送受信切替手段２は上記送受信アンテナ１に接続され、無線通信機が送信状態にあるときは接点Ｔに接続され、受信状態にあるときは接点Ｒに接続される。【０００５】  ４はマイクロホンで、人の音声等の音響信号を電気信号に変換する。３は変調送信手段で、入力は上記マイクロホン３に接続され、上記マイクロホンから入力された音声信号を無線電波として送信可能な高周波信号に変調し、送受信アンテナ１から輻射するために必要な高周波電力に増幅する。変調送信手段３の出力は送受信切替手段２の接点Ｔに接続されている。【０００６】  ５は受信復調手段で、受信復調手段５の入力は上記送受信切替手段２の接点Ｒに接続され、送受信アンテナが捕捉した無線電波の高周波信号を増幅し、音声信号等の必要な信号に復調する。【０００７】  ６は音声増幅手段で、音声増幅手段６の入力は上記受信復調手段５の出力に接続され、受信復調手段によって復調された音声信号を増幅する。７はスピーカで上記音声増幅手段６によって増幅された音声信号を音響に変換する。【０００８】  ８は周波数記憶手段で、無線通信機が通信動作を行う無線周波数を記憶する。周波数記憶手段８には、メイン周波数ｆｍとサブ周波数ｆｓの２個の周波数が記憶されている。【０００９】  ９は周波数切替スイッチで、周波数切替スイッチ９の接点Ｍ及び接点Ｓは周波数記憶手段８に接続されており、周波数切替スイッチ９が接点Ｍに接続された場合にはメイン周波数ｆｍが選択され、周波数切替スイッチ９が接点Ｓに接続された場合にはサブ周波数ｆｓが選択される。【００１０】  １４はＰＴＴスイッチで、Ｐｕｓｈ−Ｔｏ−Ｔａｌｋ  Ｓｗｉｔｃｈの略であり、以後ＰＴＴスイッチと呼ぶ。ＰＴＴスイッチ１４は無線通信機を送信状態に切り替えるために使用者が操作するスイッチであり、ＰＴＴスイッチ１４をｏｎ状態にすることにより、無線通信機を送信状態にすることが出来る。ＰＴＴスイッチ１４は周波数切替スイッチ９と変調送信手段３の間に設けられており、ＰＴＴスイッチ１４がｏｎ状態になると、周波数切替スイッチ９によって選択されたメイン周波数ｆｍ又はサブ周波数ｆｓのどちらかの周波数が変調送信手段３に設定され、設定された周波数が送信周波数となる。ＰＴＴスイッチ１４は送受信切替手段２に連動しており、ＰＴＴスイッチ１４がｏｎ状態になると、周波数切替スイッチ９で選択されたメイン周波数ｆｍ又はサブ周波数ｆｓのどちらかが変調送信手段３に設定されると同時に、送受信切替手段２は接点Ｔに接続される。またＰＴＴスイッチ１４がｏｆｆ状態の時は送受信切替手段２は接点Ｒに接続される。【００１１】  また、周波数切替スイッチ９はＰＴＴスイッチ１４に接続される一方で、受信復調手段５にも接続されてお���、受信復調手段５には、ＰＴＴスイッチ１４の状態に関係なく、周波数切替スイッチ９が選択したメイン周波数ｆｍ又はサブ周波数ｆｓのいずれかの周波数が設定され、設定された周波数が受信周波数となる。【００１２】  １１は信号検出手段で、信号検出手段１１は受信復調手段５の出力に接続されており、受信復調手段５によって復調された信号の有無を検出する。【００１３】  １０は間欠タイマーで、間欠タイマー１０は信号検出手段１１の出力に接続されており、信号検出手段１１によって信号が検出されない場合には、論理レベルＨと論理レベルＬを一定時間ごとに交互に出力し、信号検出手段１１によって信号が検出された場合には論理レベルのＨとＬの交互出力を停止して直前の論理レベルを保持する。【００１４】  間欠タイマー１０の出力は周波数切替スイッチ９を制御しており、間欠タイマー１０が論理レベルＨを出力した場合には周波数切替スイッチ９は接点Ｍに接続され、周波数記憶手段８に記憶されたメイン周波数ｆｍを選択する。また間欠タイマー１０が論理レベルＬを出力した場合には周波数切替スイッチ９は接点Ｓに接続され、周波数記憶手段８に記憶されたサブ周波数ｆｓを選択する。【００１５】  また図４は従来の無線通信機の外観図を示しており、図３と同一番号を付した構成要素は同じ機能を有すため、説明を省略する。図４において、２１は表示板で、周波数表示や信号強度の表示等に使用される。【００１６】  図４において、ＰＴＴスイッチ１４を押すことにより無線通信機は送信状態となり、マイクロホン４に向かって音声を入力すれば、音声が無線電波となって送受信アンテナ１から送信される。またＰＴＴスイッチ１４を離すことにより無線通信機は受信状態となり、到来した電波に含まれる音声信号が復調され、スピーカ７から音響となって出力される。【００１７】  以上のように構成された無線通信機について、以下その動作について図３を用いて説明する。まず、図３において、ＰＴＴスイッチ１４はＯＦＦ状態であり、送受信アンテナ１の地点にはメイン周波数ｆｍ及びサブ周波数ｆｓのいずれの周波数の電波も存在しないと仮定する。【００１８】  この状態では無線通信機は受信状態となっているが、受信すべき電波が存在しないため受信復調手段５は復調信号を出力しない。従って、信号検出手段１１は信号を検出しないので間欠タイマー１０は論理レベルＨとＬを交互に出力する。従って、周波数切替スイッチ９は接点Ｍと接点Ｓを交互に接続するので、受信復調手段５の受信周波数は一定期間ごとにメイン周波数ｆｍとサブ周波数ｆｓが交互に切り替わる。即ち、二つの周波数を交互に受信する動作を継続する。【００１９】  次に、この状態で送受信アンテナ１にメイン周波数ｆｍの無線電波が到来すると、交互に切り替わっている周波数切替スイッチ９が接点Ｍに接続されたときに受信復調手段５の受信周波数はメイン周波数ｆｍとなるので受信復調手段５は復調信号を出力する。従って、信号検出手段１１は信号を検出し、間欠タイマー１０は論理レベルＨ及びＬの交互出力を停止する。周波数切替スイッチ９が接点Ｍに接続された状態、即ち間欠タイマー１０の出力が論理レベルＨの状態で交互出力を停止するので周波数切替スイッチ９は接点Ｍに接続された状態を維持する。【００２０】  この状態で、ＰＴＴスイッチ１４をＯＮにするとメイン周波数ｆｍが送信周波数として設定され、送受信切替手段２が接点Ｔに接続されるので、受信周波数と同じ周波数で送信することが出来る。即ち、メイン周波数ｆｍで呼び出しを受けた場合に、すぐに同じメイン周波数ｆｍで応答することが出来る。【００２１】  同様に、受信すべき電波が存在しない状態から送受信アンテナ１にサブ周波数ｆｓの無線電波が到来すると、周波数切替スイッチ９が接点Ｓに接続されたときに受信復調手段５の受信周波数はサブ周波数ｆｓとなるので受信復調手段５は復調信号を出力する。従って、信号検出手段１１は信号を検出し、間欠タイマー１０は論理レベルＨ及びＬの交互出力を停止する。周波数切替スイッチ９が接点Ｓに接続された状態、即ち間欠タイマー１０の出力が論理レベルＬの状態で交互出力を停止するので周波数切替スイッチ９は接点Ｓに接続された状態を維持する。【００２２】  この状態で、ＰＴＴスイッチ１４をＯＮにするとサブ周波数ｆｓが送信周波数として設定され、送受信切替手段２が接点Ｔに接続されるので、受信周波数と同じ周波数で送信することが出来る。即ち、サブ周波数ｆｓで呼び出しを受けた場合に、すぐに同じサブ周波数ｆｓで応答することが出来る。
【発明の開示】
【発明が解決しようとする課題】
【００２３】  しかしながら上記のような構成では、メイン周波数ｆｍまたはサブ周波数ｆｓで呼び出しを受けた後で送信動作を行う場合には、即座に応答できるが、自分からメイン周波数ｆｍで相手を呼び出す場合には、送信周波数がメイン周波数ｆｍになっていることを確認する必要があり、受信周波数がサブ周波数に切り替わっている期間は呼び出しができない。またサブ周波数ｆｓで呼び出す場合も同様に、送信周波数がサブ周波数ｆｓになっていることを確認する必要があり、受信周波数がメイン周波数ｆｍに切り替わっている期間は呼び出しができない。【００２４】  即ち、自分が相手局を呼び出す周波数と現在の受信周波数が異なる場合には即座に呼び出し動作を行うことが出来ず、自分が相手局を呼び出す周波数に切り替わるまで待つ必要があるので、迅速な呼び出し操作が出来ないという問題点を有していた。【００２５】  本発明は上記問題点を解決し、直前の受信周波数に関係なく、周波数ごとに割り当てられた複数のＰＴＴスイッチを押すだけで任意の周波数で即座に送信を行うことの出来る無線通信機を提供することにある。
【課題を解決するための手段】
【００２６】  上記問題点を解決するために本発明の無線通信機は、マイクロホンから入力された音声信号を変調し無線電波として送信するための変調送信手段と、無線電波を受信し音声信号等に復調するための受信復調手段と、上記変調送信手段及び上記受信復調手段の送受信周波数として設定される第一及び第二の周波数を記憶する周波数記憶手段と、送信動作を行うためのものであって上記変調送信手段及び上記受信復調手段の送受信周波数を第一の周波数に設定する第一の送信スイッチと、上記第一の送信スイッチがオン状態からオフ状態に切り替わった後の一定時間は上記受信復調手段の受信周波数を第一の周波数に保持する第一の延長タイマーと、送信動作を行うためのものであって上記変調送信手段及び上記受信復調手段の送受信周波数を第二の周波数に設定する第二の送信スイッチと、上記第二の送信スイッチがオン状態からオフ状態に切り替わった後の一定時間は上記受信復調手段の受信周波数を第二の周波数に保持する第二の延長タイマーと、受信復調信号の有無を検出するための信号検出手段と、上記信号検出手段によって信号が検出されない場合に上記第一及び第二の周波数を交互に選択するための間欠タイマーとを備えたことを特徴とする。
【発明の効果】
【００２７】  本発明の無線通信機は、上記した構成によって、第一のＰＴＴスイッチを押せば直前の受信周波数に関係なく第一の周波数で送信し、第二のＰＴＴスイッチを押せば直前の受信周波数に関係なく第二の周波数で送信するため、
（１）送信したい周波数に切り替わるまで待つ必要がない。
（２）送信したい周波数に切り替わったかどうかを確認する必要がない。
従って、極めて迅速な送信動作を行うことが出来る。
【発明を実施するための最良の形態】
【００２８】  以下本発明に係る実施形態について、図面を参照して説明する。なお、同様の構成要素については同一の符号を付している。
【実施例】  図１は本発明の実施例の無線通信機のブロック図、図２は本発明の実施例の無線通信機の外観図を示すものである。図１において、図３と同一番号を付した構成要素は、その目的、機能及び動作において図３における従来例と全く同一であるため説明を省略し、従来例と異なる構成要素についてのみ説明する。【００２９】  １３はメインＰＴＴスイッチで、周波数記憶手段８のメイン周波数ｆｍ側と変調送信手段３との間に設けられており、メインＰＴＴスイッチ１３をｏｎ状態にすれば周波数記憶手段８に記憶されたメイン周波数ｆｍが変調送信手段３に送信周波数として設定される。またメインＰＴＴスイッチ１３は周波数切替スイッチ９を制御し、メインＰＴＴスイッチ１３がｏｎ状態になると周波数切替スイッチ９は間欠タイマー１０の出力の論理レベルとは無関係に強制的に接点Ｍに接続される。【００３０】  ２３は延長タイマーで、メインＰＴＴスイッチ１３と周波数切替スイッチ９との間に設けられており、メインＰＴＴスイッチ１３がｏｎ状態からｏｆｆ状態に切り替わっても一定時間は周波数切替スイッチ９を接点Ｍに強制的に接続した状態を保持する。【００３１】  １２はサブＰＴＴスイッチで、周波数記憶手段８のサブ周波数ｆｓ側と変調送信手段３との間に設けられており、サブＰＴＴスイッチ１２をｏｎ状態にすれば周波数記憶手段８に記憶されたサブ周波数ｆｓが変調送信手段３に送信周波数として設定される。またサブＰＴＴスイッチ１２は周波数切替スイッチ９を制御し、サブＰＴＴスイッチ１２がｏｎ状態になると周波数切替スイッチ９は間欠タイマー１０の出力の論理レベルとは無関係に強制的に接点Ｓに接続される。【００３２】  ２２は延長タイマーで、サブＰＴＴスイッチ１２と周波数切替スイッチ９との間に設けられており、サブＰＴＴスイッチ１２がｏｎ状態からｏｆｆ状態に切り替わっても一定時間は周波数切替スイッチ９を接点Ｓに強制的に接続した状態を保持する。【００３３】  メインＰＴＴスイッチ１３及びサブＰＴＴスイッチ１２は送受信切替手段２とも連動しており、メインＰＴＴスイッチ１３またはサブＰＴＴスイッチ１２のどちらかをｏｎ状態にすれば、送受信切替手段２は連動して接点Ｔに接続される。【００３４】  また図２は本発明の実施の形態の無線通信機の外観図を示しており、図４と同一番号を付した構成要素は同じ機能を有すため、説明を省略する。図２において、１３は図１におけるメインＰＴＴスイッチ１３、１２は図１におけるサブＰＴＴスイッチ１２である。【００３５】  図２において、メインＰＴＴスイッチ１３を押すことにより無線通信機はメイン周波数ｆｍで送信状態となり、マイクロホン４に向かって音声を入力すれば、音声がメイン周波数ｆｍの無線電波となって送受信アンテナ１から送信される。またサブＰＴＴスイッチ１２を押すことにより無線通信機はサブ周波数ｆｓで送信状態となり、マイクロホン４に向かって音声を入力すれば、音声がサブ周波数ｆｓの無線電波となって送受信アンテナ１から送信される。【００３６】  またメインＰＴＴスイッチ１３及びサブＰＴＴスイッチ１２を離すことにより無線通信機は受信状態となり、到来した電波に含まれる音声信号が復調され、スピーカ７から音響となって出力される。
以上のように構成された無線通信機について、以下図１及び図２を用いてその動作を説明する。【００３７】  まず図１において、送受信切替スイッチ２が接点Ｒに接続された状態において送受信アンテナ１に受信すべき電波が存在しない場合には図３における従来例の動作と全く同様に、メイン周波数ｆｍとサブ周波数ｆｓを交互に受信する動作を行う。【００３８】  次に、送受信アンテナ１にメイン周波数ｆｍの電波が到来した場合には従来例の動作と全く同様にメイン周波数ｆｍでの受信動作を継続する。この状態では周波数切替スイッチ９は接点Ｍに接続されているので、メインＰＴＴスイッチ１３をｏｎ状態にすることによりメイン周波数ｆｍが変調送信手段に設定されるのでメイン周波数ｆｍで送信することが出来る。【００３９】  一方、周波数切替スイッチ９が接点Ｍに接続された状態、即ちメイン周波数ｆｍを受信している状態のままであっても、サブＰＴＴスイッチ１２をｏｎ状態にすれば周波数記憶手段８に記憶されたサブ周波数ｆｓがサブＰＴＴスイッチ１２を介して変調送信手段３に設定されるのでサブ周波数ｆｓで送信することが出来る。つまりサブ周波数ｆｓで相手局を呼び出すことが出来る。このとき周波数切替スイッチ９は接点Ｍから接点Ｓに強制的に切り替わる。。【００４０】  更にこの状態でサブＰＴＴスイッチ１２をｏｆｆ状態にした場合には、延長タイマー２２の働きにより、周波数切替スイッチ９が接点Ｓに接続された状態を一定期間保持するので、この期間にサブ周波数ｆｓの電波を受信することが出来る。サブ周波数ｆｓの受信電波が継続していれば、延長タイマーによる延長時間を経過しても信号検出手段１１が信号を検出するので間欠タイマー１０の間欠動作は再開せず停止したままである。従ってサブ周波数ｆｓの電波を継続して受信することが出来る。また、また延長タイマー２２によって延長された期間中にサブ周波数ｆｓの電波を受信しない場合には、延長タイマーによる延長時間が経過した後に、周波数切替スイッチ９は間欠タイマー１０の間欠動作の再開によりメイン周波数ｆｍとサブ周波数ｆｓを交互に受信する動作に復帰する。【００４１】  即ち、メイン周波数ｆｍの電波を受信している状態であっても、サブＰＴＴスイッチ１２をｏｎ状態にすれば、無条件にサブ周波数ｆｓで送信することが出来る上に、サブＰＴＴスイッチ１２をｏｆｆ状態に戻しても一定時間はサブ周波数ｆｓを受信するのでサブ周波数ｆｓで呼び出した相手からの応答を受信することが出来る。【００４２】  次に、送受信アンテナ１にサブ周波数ｆｓの電波が到来した場合にも同様にサブ周波数ｆｓでの受信動作を継続する。この状態では周波数切替スイッチ９は接点Ｓに接続されているので、サブＰＴＴスイッチ１２をｏｎ状態にすることによりサブ周波数ｆｓが変調送信手段に設定されるのでサブ周波数ｆｓで送信することが出来る。【００４３】  一方、周波数切替スイッチ９が接点Ｓに接続された状態、即ちサブ周波数ｆｓを受信している状態のままであっても、メインＰＴＴスイッチ１３をｏｎ状態にすれば周波数記憶手段８に記憶されたメイン周波数ｆｍがメインＰＴＴスイッチ１３を介して変調送信手段３に設定されるのでメイン周波数ｆｍで送信することが出来���。つまりメイン周波数ｆｍで相手局を呼び出すことが出来る。このとき周波数切替スイッチ９は接点Ｓから接点Ｍに強制的に切り替わる。。【００４４】  更にこの状態でメインＰＴＴスイッチ１３をｏｆｆ状態にした場合には、延長タイマー２３の働きにより、周波数切替スイッチ９が接点Ｍに接続された状態を一定期間保持するので、この期間にメイン周波数ｆｍの電波を受信することが出来る。メイン周波数ｆｍの受信電波が継続していれば、延長タイマーによる延長時間を経過しても信号検出手段１１が信号を検出するので間欠タイマー１０の間欠動作は再開せず停止したままである。従ってメイン周波数ｆｍの電波を継続して受信することが出来る。また、また延長タイマー２３によって延長された期間中にメイン周波数ｆｍの電波を受信しない場合には、延長タイマーによる延長時間が経過した後に、周波数切替スイッチ９は間欠タイマー１０の間欠動作の再開によりメイン周波数ｆｍとサブ周波数ｆｓを交互に受信する動作に復帰する。【００４５】  即ち、サブ周波数ｆｓの電波を受信している状態であっても、メインＰＴＴスイッチ１３をｏｎ状態にすれば、無条件にメイン周波数ｆｍで送信することが出来る上に、メインＰＴＴスイッチ１３をｏｆｆ状態に戻しても一定時間はメイン周波数ｆｍを受信するのでメイン周波数ｆｍで呼び出した相手からの応答を受信することが出来る。【００４６】  従って、独立した２個のＰＴＴスイッチ、即ちメインＰＴＴスイッチ１３とサブＰＴＴスイッチ１２のいずれか一つを操作することにより、現在の受信周波数とは無関係に、メイン周波数ｆｍまたはサブ周波数ｆｓで即座に送信が可能となるので、送信したい周波数に切り替わるまで待つ必要がない上に、送信したい周波数に切り替わったかどうかを確認する必要もなく、極めて迅速な送信動作を行うことが出来る。【００４７】  以上のように本実施の形態によれば、マイクロホンから入力された音声信号を変調し無線電波として送信するための変調送信手段と、無線電波を受信し音声信号等に復調するための受信復調手段と、上記変調送信手段及び上記受信復調手段の送受信周波数として設定される第一及び第二の周波数を記憶する周波数記憶手段と、送信動作を行うためのものであって上記変調送信手段及び上記受信復調手段の送受信周波数を第一の周波数に設定する第一の送信スイッチと、上記第一の送信スイッチがオン状態からオフ状態に切り替わった後の一定時間は上記受信復調手段の受信周波数を第一の周波数に保持する第一の延長タイマーと、送信動作を行うためのものであって上記変調送信手段及び上記受信復調手段の送受信周波数を第二の周波数に設定する第二の送信スイッチと、上記第二の送信スイッチがオン状態からオフ状態に切り替わった後の一定時間は上記受信復調手段の受信周波数を第二の周波数に保持する第二の延長タイマーと、受信復調信号の有無を検出するための信号検出手段と、上記信号検出手段によって信号が検出されない場合に上記第一及び第二の周波数を交互に選択するための間欠タイマーとを設けることにより、第一の送信スイッチを押せば直前の受信周波数に関係なく第一の周波数で送信し、第二の送信スイッチを押せば直前の受信周波数に関係なく第二の周波��で送信するため、送信したい周波数に切り替わるまで待つ必要がなく、更に送信したい周波数に切り替わったかどうかを確認する必要もなく極めて迅速な送信動作を行うことが出来る。【００４８】  なお、実施例では送信周波数と受信周波数は同じものとして説明したが、異なる周波数であっても同様の効果がある。例えばメインＰＴＴをｏｎ状態にした場合にはメイン送信周波数ｆｍ１で送信し、メインＰＴＴをｏｆｆ状態にした場合には一定時間の間メイン受信周波数ｆｍ２で受信するという方式であっても同様の効果があることは言うまでもない。【００４９】  また、実施例では、メインＰＴＴスイッチとサブＰＴＴスイッチの２個のＰＴＴスイッチを装備した無線機として説明したが、ＰＴＴスイッチが３個以上となっても各ＰＴＴスイッチに割り当てられた周波数で迅速な通信が可能となることは言うまでもない。【００５０】  更に実施例では、間欠タイマー、延長タイマー、周波数記憶手段、周波数切替スイッチを個別の構成要素として説明したが、マイクロプロセッサーのソフトウェアでも同様の機能を実現できることは言うまでもない。
【図面の簡単な説明】
【００５１】
【図１】本発明の実施形態を示す無線通信機のブロック図
【図２】同無線通信機の外観図
【図３】従来の無線通信機のブロック図
【図４】同無線通信機の外観図
【符号の説明】
【００５２】３  変調送信手段
５  受信復調手段
８  周波数記憶手段
９  周波数切替スイッチ
１０  間欠タイマー
１１  信号検出手段
１２  サブＰＴＴスイッチ
１３  メインＰＴＴスイッチ
２２  延長タイマー
２３  延長タイマー
【図１】
2006148845.tif 000003
【図２】
2006148845.tif 000004
【図３】
2006148845.tif 000005
【図４】
2006148845.tif 000006